(57)【要約】【課題】中央進気を兼備えたファンを提供する。【解決手段】  主にファンフレーム、ファンホイール、駆動装置を含む。該ファンフレームは孔道を開設し流体を流動させるこしき台を設置し、該孔道内には枢接部を設置する。該ファンホイールは貫通孔を具えたこしきを設置し、複数の羽を具え、該羽は該こしきの外環面より外に向かい放射状に延伸し、該羽は内側へとこしき端面中心まで延伸し受接部と接続する。該駆動装置は該ファンフレーム及び該ファンホイールに設置し、該ファンホイールを駆動する。該ファンホイールの受接部を該ファンフレームの枢接部上に枢接することにより、該ファンホイールは該ファンフレーム内に設置され、同時に該こしきの貫通孔と該こしき台の孔道は中央流道を形成する。これにより該駆動装置が該ファンホイールの回転を駆動すると流体は流動し、ファンに装置された散熱しようとする物体の中央熱量は排出され散熱効率が向上し、さらに該駆動装置と枢接部が発生する熱量をも排除し、運転効率を向上させる。【選択図】  図  ６
2006125368.tif 000002
【特許請求の範囲】
【請求項１】
主にファンフレーム、ファンホイール、駆動装置を含み、
該ファンフレームは孔道を開設し流体を流動させるこしき台を設置し、該孔道内には枢接部を設置し、
該ファンホイールは該ファンフレーム内に設置し、該ファンホイールは貫通孔を具えたこしきを設置し、該貫通孔は該こしき台の孔道と中央流道を形成し流体を流動させ、複数の羽を具え、該羽は該こしき外環面より外側へと放射状に延伸し、該羽は内側へとこしき端面中心まで延伸し受接部と接続し、該受接部は該ファンフレームの枢接部に枢接し、
該駆動装置は該ファンフレーム及び該ファンホイールに設置し、該ファンホイールを駆動し、
該ファンホイールの受接部を該ファンフレームの枢接部上に枢接することにより、該ファンホイールは該ファンフレーム内に設置され、同時に該こしきの貫通孔と該こしき台の孔道は中央流道を形成し、これにより該駆動装置が該ファンホイールの回転を駆動すると流体は流動し、ファンに装置された散熱しようとする物体の中央熱量は排出され散熱効率が向上し、さらに該駆動装置と枢接部が発生する熱量をも排除し、運転効率を向上させることを特徴とする中央進気を兼備えたファン。
【請求項２】
前記枢接部はピボットとベアリングを含むことを特徴とする請求項１記載の中央進気を兼備えたファン。
【請求項３】
前記駆動装置はモーターローターとモーター固定子を含むことを特徴とする請求項１記載の中央進気を兼備えたファン。
【請求項４】
前記こしき台の孔道は上から下へと外側に向かった傾斜状を呈することを特徴とする請求項１記載の中央進気を兼備えたファン。
【請求項５】
前記こしき台の孔道は上から下へと内側に向かった傾斜状を呈することを特徴とする請求項１記載の中央進気を兼備えたファン。
【請求項６】
前記散熱しようとする物体は散熱器であることを特徴とする請求項１記載の中央進気を兼備えたファン。
【請求項７】
主にファンフレーム、ファンホイール、駆動装置を含み、
該ファンフレームは孔道を開設し流体を流動させるこしき台を設置し、該孔道内には枢接部を設置し、
該ファンホイールは該ファンフレーム内に設置し、該ファンホイールは貫通孔を具えたこしきを設置し、該貫通孔は該こしき台の孔道と中央流道を形成し流体を流動させ、複数の羽を具え、該羽は該こしき外環面より外側へと放射状に延伸し、受接部を該こしき上に設置し、該受接部は該ファンフレームの枢接部に枢接し、
該駆動装置は該ファンフレーム及び該ファンホイールに設置し、該ファンホイールを駆動し、
該ファンホイールの受接部を該ファンフレームの枢接部上に枢接することにより、該ファンホイールは該ファンフレーム内に設置され、同時に該こしきの貫通孔と該こしき台の孔道は中央流道を形成し、これにより該駆動装置が該ファンホイールの回転を駆動すると流体は流動し、ファンに装置された散熱しようとする物体の中央熱量は排出され散熱効率が向上し、さらに該駆動装置と枢接部が発生する熱量をも排除し、運転効率を向上させることを特徴とする中央進気を兼備えたファン。
【請求項８】
前記枢接部はピボットとベアリングを含むことを特徴とする請求項７記載の中央進気を兼備えたファン。
【請求項９】
前記駆動装置はモーターローターとモーター固定子を含むことを特徴とする請求項７記載の中央進気を兼備えたファン。
【請求項１０】
前記こしき台の孔道は上から下へと外側に向かった傾斜状を呈することを特徴とする請求項７記載の中央進気を兼備えたファン。
【請求項１１】
前記こしき台の孔道は上から下へと内側に向かった傾斜状を呈することを特徴とする請求項７記載の中央進気を兼備えたファン。
【請求項１２】
前記散熱しようとする物体は散熱器であることを特徴とする請求項７記載の中央進気を兼備えたファン。
【請求項１３】
主にファンフレーム、ファンホイール、駆動装置を含み、
該ファンフレームは孔道を開設し流体を流動させるこしき台を設置し、該孔道内には枢接部を設置し、
該ファンホイールは該ファンフレーム内に設置し、該ファンホイールは貫通孔を具えたこしきを設置し、該貫通孔は該こしき台の孔道と中央流道を形成し流体を流動させ、複数の羽を具え、該羽は該こしきの貫通孔内周囲より中心に向かい延伸し、受接部と接続し、該受接部は該ファンフレームの枢接部に枢接し、
該駆動装置は該ファンフレーム及び該ファンホイールに設置し、該ファンホイールを駆動し、
該ファンホイールの受接部を該ファンフレームの枢接部上に枢接することにより、該ファンホイールは該ファンフレーム内に設置され、同時に該こしきの貫通孔と該こしき台の孔道は中央流道を形成し、これにより該駆動装置が該ファンホイールの回転を駆動すると流体は流動し、ファンに装置された散熱しようとする物体の中央熱量は排出され散熱効率が向上し、さらに該駆動装置と枢接部が発生する熱量をも排除し、運転効率を向上させることを特徴とする中央進気を兼備えたファン。
【請求項１４】
前記枢接部はピボットとベアリングを含むことを特徴とする請求項１３記載の中央進気を兼備えたファン。
【請求項１５】
前記駆動装置はモーターローターとモーター固定子を含むことを特徴とする請求項１３記載の中央進気を兼備えたファン。
【請求項１６】
前記こしき台の孔道は上から下へと外側に向かった傾斜状を呈することを特徴とする請求項１３記載の中央進気を兼備えたファン。
【請求項１７】
前記こしき台の孔道は上から下へと内側に向かった傾斜状を呈することを特徴とする請求項１３記載の中央進気を兼備えたファン。
【請求項１８】
前記散熱しようとする物体は散熱器であることを特徴とする請求項１３記載の中央進気を兼備えたファン。
【発明の詳細な説明】
【技術分野】
【０００１】
本発明は一種の中央進気を兼備えたファンに関する。特に一種の一般の電子の製品の散熱に用いるファンのファンフレーム及びファンホイール構造に係る。
【背景技術】
【０００２】
電子技術の発展はコンピュータに対して高速処理を要求するため、CPUに高クロック作動を強いている。CPUは作動速度の上昇に連れて発生する熱量も増加し、CPUが超高速でデータを処理する時にはかなりの熱量が発生している。
熱量を他所へと排出、移動させるために、散熱装置は欠くべからざるものである。散熱装置を使用せずCPUの熱量を放置すれば、CPUは過熱し作動しなくなり、機器の破損さえも発生する恐れがある。
現在、最も多く使用されている散熱装置は散熱ファンであろう。その最大の長所はコストが低いことで、そのため大部分のメーカーが採用し、研究に取組んでいる。
しかし、コンピュータのマザーボード内空間には限りがあり、ファンを設置する位置もマザーボード内の空間に相対し限定される。このため、いかにして適当なサイズのファンにより散熱効果を向上させるかは非常に重要な課題である。
【０００３】
図１〜４に示す公知のファンは、ファンフレーム１１、ファンホイール１２を含む。
該ファンフレーム１１にはこしき台１１１を設置し、該こしき台１１１中央位置には枢接部１１２を設置する。該枢接部１１２はベアリング１１２１及びピボット１１２２により構成し、かつ該ファンフレーム１１は入口１１３、出口１１４を具え流体を流動させることができる。さらに、該こしき台１１１上にはモーター固定子１３を嵌設する。
該ファンホイール１２はこしき１２１、羽１２２を含み、該こしき１２１には受接部１２１３を設置する。該こしき１２１の内環面１２１１にはモーターローター１４を設置する。該羽１２２は該こしき１２１の外環面１２１２より放射状に外部へと延伸し、さらに、該こしき１２１の受接部１２１３を該こしき台１１１の枢接部１１２上に枢接する。こうして、該モーターローター１４は該モーター固定子１３に対して対応し、同時に該ファンホイール１２は該ファンフレーム１１内に接設される。
該モーター固定子１３が通電すると該モーターローター１４はフィールドを生じ、同時に該ファンホイール１２の該枢接部１１２を中心とした回転を連動する。また、該羽１２２は流体を牽引し、該流体は該入口１３３より進入し、該出口１１４より流出する。
次に図４、５に示すように、設置時には該ファンフレーム１１及び該ファンホイール１２を散熱器１６上方に装置する。該ファンホイール１２が回転し流体を連動すると、該流体は該入口１１３より流入し、該出口１１４の該散熱器１６に向かい吹きつけ、続いて該散熱器１６の気隙１６１は外に向かい散出する。
【発明の開示】
【発明が解決しようとする課題】
【０００４】
公知構造には以下の欠点があった。
すなわち、流体は出口より流出する時、ファンフレーム四周に向かい散出するが、該流体はこしき台後方へと流動しないため、ファンの該こしき台後方には滞留区を生じてしまい、散熱器中央の熱量は排出されず、全体的な散熱能力を低下させてしまう。
さらに、ファンのモーター固定子とモーターローターの作用及び枢接部のベアリングの回転は共に熱量発生源であるため、散熱効率及び使用寿命に悪影響を与える。
本発明は上記構造の問題点を解決した中央進気を兼備えたファンを提供するものである。
【課題を解決するための手段】
【０００５】
上記課題を解決するため、本発明は下記の中央進気を兼備えたファンを提供する。
それは主にファンフレーム、ファンホイール、駆動装置を含み、該ファンフレームは孔道を開設し流体を流動させるこしき台を設置し、該孔道内には枢接部を設置し、
該ファンホイールは貫通孔を具えたこしきを設置し、複数の羽を具え、該羽は該こしきの外環面より外に向かい放射状に延伸し、該羽は内側へとこしき端面中心まで延伸し受接部と接続し、
該駆動装置は該ファンフレーム及び該ファンホイールに設置し、該ファンホイールを駆動し、
該ファンホイールの受接部を該ファンフレームの枢接部上に枢接することにより、該ファンホイールは該ファンフレーム内に設置され、同時に該こしきの貫通孔と該こしき台の孔道は中央流道を形成し、これにより該駆動装置が該ファンホイールの回転を駆動すると流体は流動し、ファンに装置された散熱しようとする物体の中央熱量は排出され散熱効率が向上し、さらに該駆動装置と枢接部が発生する熱量をも排除し、運転効率を向上させることを特徴とする中央進気を兼備えたファンである。
【発明の効果】
【０００６】
上記のように、本発明はファン中央に流道を開設し流体を流動させ、ファンが生じる滞留区を減少させることにより、散熱しようとする物体中央に生じる熱量を排除し、散熱効率を向上させることができる。さらに本発明は、ファン中央に開設する流道により流体を流動させ、枢接部と駆動装置が発生する熱量を排除し、ファンの運転効率を向上させることができる。
【発明を実施するための最良の形態】
【０００７】
図６、７に示すように、本発明はファンフレーム２１、ファンホイール２２を含む。
該ファンフレーム２１は入口２１４、出口２１５を具える。該出口２５にはこしき台２１１を設置し、該こしき台２１１中央には孔道２１２を開設し流体を流動させる。該孔道２１２内には枢接部２１３を設置する。該枢接部２１３はピボット２１３１、ベアリング２１３２により構成する。
駆動装置のモーター固定子２３は該こしき台２１１上に嵌設する。
該ファンホイール２２は中央に貫通孔２２１１を開設するこしき２２１、羽２２２を具える。該羽２２２は該こしき２２１外環面２２１２より外側へと放射状に延伸する。該羽２２２は内側へとこしき２２１端面中心まで延伸し、受接部２２３と接続し、該羽２２２は右向きに回転する。
駆動装置のモーターローター２４は該こしき２２１内に設置する。
【０００８】
組立て時には、該ファンホイール２２のこしき２２１を該ファンフレーム２１のこしき台２１１に対応させ、該受接部２２３を該枢接部２１３のピボット２１３１上に枢接する。同時に、該モーターローター２４を該モーター固定子２３に対応させる。該ファンホイール２２の貫通孔２２１１は該ファンフレーム２１のこしき台２２１上の孔道２１２と中央流道を形成し、流体を流動させることができる。
【０００９】
さらに図６、８、９に示すように、該モーター固定子２３が通電すると、該モーターローター２４はフィールドを生じ左向きに回転する。同時に該ファンホイール２２の回転を連動し、該ファンホイール２２が回転すると、該ファンホイール２２の羽２２２は流体を牽引する。牽引された流体は該ファンフレーム２１の入口２１４より進入し、該出口２１５より流出する。該流体は、該こしき２２１の貫通孔２２１１及び該こしき台２１１の孔道２１２が構成する中央流道を通るため、該こしき台２１１後方の滞留区を減少させることができる他、該モーター固定子２３と該モーターローター２４の運転により生じる熱量及び該ベアリング２１３１の回転により生じる熱量も排出される。
【００１０】
次に図１０に示すように、散熱器２６などの散熱装置と組合わせる時、該ファンフレーム２１及び該ファンホイール２２を該散熱器上方に装置する。
該ファンホイール２２が回転すると、流体を連動し、該流体は該入口２１４から進入し、該出口の散熱器２６に向かい吹きつけ、最後に該散熱器２６の気隙２６１より外部へと散出する。こうして、該散熱器２６の熱量は該出口２１５より流出する流体により持ち去られるが、それに加え流出ルートである該こしき２２１の貫通孔２２１１と該こしき台２１１の孔道２１２が構成する中央流道の流体によってもが散熱器２６の中央の熱量は大幅に散出される。さらに、該モーター固定子２３と該モーターローター２４の運転により生じる熱量と該ベアリング２１３２の回転により生じる熱量も共に持ち去られる。よって、該こしき台２１１後方に滞留区を生じるため、該散熱器２６中央の熱量が排除できず、またファン自体の運転により生じる熱量も散出できないという公知構造の欠点を解決することができる。これにより、散熱効果とファンの運転効率は大幅に向上し、使用寿命も延長可能である。
【００１１】
続いて図１１、１２に示すように、本発明第１実施例のファンフレーム２１のこしき台２１１の孔道２１２は上から下に外側へと徐々に拡散、或いは上から下に内側へと徐々に縮小する形態とすることができる。これにより、流体を外に向い散出流動させ流体の流動範囲を拡大、或いは該枢接部２１３後方に向った流動を制御し、該枢接部２１３後方の流体の流動を促進し滞留区の発生を防ぐことができる。
次に図１３、１４に示すように、本発明第１実施例のファンホイール２２の羽２２２角度は左向き回転角とすることができる。この時、流体は該こしき台２１１片側から進入し、反対側の散熱器２６に向かい吹きつけ、同一の機能を発揮し、同様の効果を達成することができる。
【００１２】
さらに図１５〜２３、に示すように、本発明第２実施例の全体構造と機能は第１実施例とほぼ同様である。その相違点は複数の羽３２２はこしき３２１外環面３２１２より外側に向かい放射状に延伸し、受接部３２３はサポート構造３２４により該こしき３２１の貫通孔３２１１中央位置に接設される点である。該構造において流体は該こしき３２１の貫通孔３２１１とこしき台３１１の孔道３１２が構成する中央流道を流れ、該こしき台３１１後方に生じる滞留区を減少させることができ、さらには、散熱器３６の中央熱量を大規模に排出することができる。また、モーターローター３４とモーター固定子３３、枢接部３１３のベアリング３１３２が生じる熱量も散出させることができるため、散熱効果とファンの作動効率を向上させ、使用寿命を延長することができる。
【００１３】
次に図２４、２５、２６に示すように、本発明第３実施例はファンフレーム４１、ファンホイール４２を含む。
該ファンフレーム４１は入口４１４、出口４１５を具え、該出口４１５にはこしき台４１１を設置する。しかも該こしき台４１１には孔道４１２を開設し、流体を流動させることができ、該孔道４１２内には枢接部４１３を設置する。該枢接部４１３はピボット４１３１とベアリング４１３２により構成する。
駆動装置であるモーター固定子４３は該こしき台４１１上に嵌設する。
該ファンホイール４２は中央に貫通孔４２１１を開設するこしき４２１、羽４２２を具える。該羽４２２は該こしき４２１の貫通孔４２１１内周囲より中心に向い延伸する。該貫通孔４２１１中心は受接部４２３と接続し、該羽４２２は右向きに回転する。
駆動装置のモーターローター４４は該こしき４２１内に設置する。
【００１４】
組立て時には、該ファンホイール４２のこしき４２１を該ファンフレーム４１のこしき台４１１に対応させ、該受接部４２３を該枢接部４１３のピボット４１３１上に枢接する。同時に、該モーターローター４４を該モーター固定子４３に対応させる。該ファンホイール４２の貫通孔４２１１は該ファンフレーム４１のこしき台４１１上の孔道４１２と中央流道を形成し、流体を流動させることができる。
【００１５】
さらに図２４、２７、２８に示すように、該モーター固定子４３が通電すると、該モーターローター４４はフィールドを生じ左向きに回転する。同時に該ファンホイール４２の回転を連動し、該ファンホイール４２が回転すると、該ファンホイール４２の羽４２２は流体を牽引する。牽引された流体は該ファンフレーム４１の入口４１４より流入し、該出口４１５より流出する。該流体は、該こしき４２１の貫通孔４２１１及び該こしき台４１１の孔道４１２が構成する中央流道を通るため、該こしき台４１１後方の滞留区を減少させることができる他、該モーター固定子４３と該モーターローター４４の運転により生じる熱量及び該ベアリング４１３１の回転により生じる熱量も排出される。
【００１６】
次に図３０、３１に示すように、本発明第３実施例のファンフレーム４１のこしき台４１１の孔道４１２は上から下に外側へと徐々に拡散、或いは上から下に内側へと徐々に縮小する形態とすることができる。これにより、流体を外に向い散出流動させ流体の流動範囲を拡大、或いは該枢接部４１３後方に向った流動を制御し、該枢接部４１３後方の流体の流動を促進し滞留区の発生を防ぐことができる。
次に図３２、３３に示すように、本発明第３実施例のファンホイール４２の羽４２２角度は左向き回転角とすることができる。この時、流体は該こしき台４１１片側から進入し、反対側の散熱器４６に向かい吹きつけ、同一の機能を発揮し、同様の効果を達成することができる。
【図面の簡単な説明】
【００１７】
【図１】公知のファンの立体分解指示図である。
【図２】公知のファンの別の視覚からの立体分解指示図である。
【図３】公知のファンの立体組合せ指示図である。
【図４】公知のファンの断面作動指示図である。
【図５】公知のファンと散熱器を組合わせた様子を示す断面作動指示図である。
【図６】本発明第１実施例の立体分解指示図である。
【図７】本発明第１実施例の立体組合せ指示図である。
【図８】本発明第１実施例の俯瞰指示図である。
【図９】本発明第１実施例の断面作動指示図である。
【図１０】本発明第１実施例と散熱器を組合わせた様子を示す断面指示図である。
【図１１】本発明第１実施例のこしき台孔道の第２種形態の断面指示図である。
【図１２】本発明第１実施例のこしき台孔道の第３種形態の断面指示図である。
【図１３】本発明第１実施例の羽の回転角が左向きに回転する様子を示す俯瞰指示図である。
【図１４】本発明第１実施例の羽の回転角が左向きに回転し、散熱器と組合わさる様子を示す俯瞰指示図である。
【図１５】本発明第２実施例の立体分解指示図である。
【図１６】本発明第２実施例の立体組合せ指示図である。
【図１７】本発明第２実施例の俯瞰指示図である。
【図１８】本発明第２実施例の断面作動指示図である。
【図１９】本発明第２実施例と散熱器を組合わせた様子を示す断面指示図である。
【図２０】本発明第２実施例のこしき台孔道の第２種形態の断面指示図である。
【図２１】本発明第２実施例のこしき台孔道の第３種形態の断面指示図である。
【図２２】本発明第２実施例の羽の回転角が左向きに回転する様子を示す俯瞰指示図である。
【図２３】本発明第２実施例の羽の回転角が左向きに回転し、散熱器と組合わさる様子を示す俯瞰指示図である。
【図２４】本発明第３実施例の立体分解指示図である。
【図２５】本発明第３実施例の立体組合せ指示図である。
【図２６】本発明第３実施例の別の視覚からの立体組合せ指示図である。
【図２７】本発明第３実施例の俯瞰指示図である。
【図２８】本発明第３実施例の断面作動指示図である。
【図２９】本発明第３実施例と散熱器を組合わせた様子を示す断面指示図である。
【図３０】本発明第３実施例のこしき台孔道の第２種形態の断面指示図である。
【図３１】本発明第３実施例のこしき台孔道の第３種形態の断面指示図である。
【図３２】本発明第３実施例の羽の回転角が左向きに回転する様子を示す俯瞰指示図である。
【図３３】本発明第３実施例の羽の回転角が左向きに回転し、散熱器と組合わさる様子を示す俯瞰指示図である。
【符号の説明】
【００１８】
１１  ファンフレーム
１１１  こしき台
１１２  枢接部
１１２１  ベアリング
１１２２  ピボット
１１３  入口
１１４  出口
１２  ファンホイール
１２１  こしき
１２１１  内環面
１２１２  外環面
１２１３  受接部
１２２  羽
１３  モーター固定子
１４  モーターローター
１５  滞留区
１６  散熱器
１６１  気隙
２１  ファンフレーム
２１１  こしき台
２１２  孔道
２１３  枢接部
２１３１  ピボット
２１３２  ベアリング
２１４  入口
２１５  出口
２２  ファンホイール
２２１  こしき
２２１１  貫通孔
２２１２  外環面
２２２  羽
２２３  受接部
２３  モーター固定子
２４  モーターローター
２６  散熱器
２６１  気隙
３１  ファンフレーム
３１１  こしき台
３１２  孔道
３１３  枢接部
３１３１  ピボット
３１３２  ベアリング
３１４  入口
３１５  出口
３２  ファンホイール
３２１  こしき
３２１１  貫通孔
３２１２  外環面
３２２  羽
３２３  受接部
３２４  サポート構造
３３  モーター固定子
３４  モーターローター
３６  散熱器
３６１  気隙
４１  ファンフレーム
４１１  こしき台
４１２  孔道
４１３  枢接部
４１３１  ピボット
４１３２  ベアリング
４１４  入口
４１５  出口
４２  ファンホイール
４２１  こしき
４２１１  貫通孔
４２１２  外環面
４２２  羽
４２３  受接部
４３  モーター固定子
４４  モーターローター
４６  散熱器
４６１  気隙
【図１】
2006125368.tif 000003
【図２】
2006125368.tif 000004
【図３】
2006125368.tif 000005
【図４】
2006125368.tif 000006
【図５】
2006125368.tif 000007
【図６】
2006125368.tif 000008
【図７】
2006125368.tif 000009
【図８】
2006125368.tif 000010
【図９】
2006125368.tif 000011
【図１０】
2006125368.tif 000012
【図１１】
2006125368.tif 000013
【図１２】
2006125368.tif 000014
【図１３】
2006125368.tif 000015
【図１４】
2006125368.tif 000016
【図１５】
2006125368.tif 000017
【図１６】
2006125368.tif 000018
【図１７】
2006125368.tif 000019
【図１８】
2006125368.tif 000020
【図１９】
2006125368.tif 000021
【図２０】
2006125368.tif 000022
【図２１】
2006125368.tif 000023
【図２２】
2006125368.tif 000024
【図２３】
2006125368.tif 000025
【図２４】
2006125368.tif 000026
【図２５】
2006125368.tif 000027
【図２６】
2006125368.tif 000028
【図２７】
2006125368.tif 000029
【図２８】
2006125368.tif 000030
【図２９】
2006125368.tif 000031
【図３０】
2006125368.tif 000032
【図３１】
2006125368.tif 000033
【図３２】
2006125368.tif 000034
【図３３】
2006125368.tif 000035